(57)【要約】【課題】例えば、「ワン切りコール」などによって記憶された電話番号に対する意図しない折り返し発信を防止することができる通信装置、及び電話番号の記憶制御方法を提供する。【解決手段】電話装置１０１は、電話装置制御部１０２と、回線制御部１０３と、計測装置１０４と、記憶装置１０５とを備え、記憶装置１０５は、着信履歴エリア１０６と、電話番号リスト１０７とを備える。回線制御部１０３が着信を検出したときは、計測装置１０４は着信時間の計測を開始し、次いで、回線制御部１０３が着信の停止を検出したときは、計測装置１０４は着信時間の計測を終了する。計測装置１０４が計測した着信時間が一定値以上であるときは、発信者の電話番号を着信履歴エリア１０６に記憶し、一方、着信時間が一定値未満であるときは、発信者の電話番号を着信履歴エリア１０６に記憶しない。【選択図】      図４
2005045387.tif 000002
【特許請求の範囲】
【請求項１】
通信装置において、
着信時に着信開始から着信停止までの着信時間又は呼出回数を計測する計測手段と、
前記計測された着信時間又は呼出回数に応じて、該着信時に検出した発信者の電話番号を折り返し発信可能な番号としてメモリに記憶するよう制御する制御手段を有することを特徴とする通信装置。
【請求項２】
前記制御手段は、前記計測された着信時間又は呼出回数が一定値に満たない場合は、前記発信者の電話番号をメモリに記憶しないように制御することを特徴とする請求項１記載の通信装置。
【請求項３】
前記制御手段は、前記計測された着信時間又は呼出回数が一定値に満たない場合は、前記発信者の電話番号を折り返し発信禁止の番号として前記メモリに記憶するように制御することを特徴とする請求項１記載の通信装置。
【請求項４】
前記制御手段は、オペレータ操作に基づいて着信に対して応答した場合は、前記計測された着信時間又は呼出回数に拘わらず、前記発信者の電話番号を折り返し発信可能な番号としてメモリに記憶するよう制御することを特徴とする請求項１乃至３のいずれか１項に記載の通信装置。
【請求項５】
前記制御手段は、前記発信者の電話番号が予め記憶している電話番号と一致するときは、前記計測された着信時間に拘わらず、前記発信者の電話番号を折り返し発信可能な番号としてメモリに記憶するよう制御することを特徴とする請求項１乃至４のいずれか１項に記載の通信装置。
【請求項６】
着信の際に検出された発信者の電話番号の記憶制御方法において、
着信時に着信開始から着信停止までの着信時間又は呼出回数を計測する計測工程と、
前記計測された着信時間又は呼出回数に応じて、該着信時に検出した発信者の電話番号を折り返し発信可能な番号としてメモリに記憶するよう制御する制御工程を有することを特徴とする記憶制御方法。
【発明の詳細な説明】
【０００１】
【発明の属する技術分野】
本発明は、通信装置、及び電話番号の記憶制御に関し、特に着信時に発信者の電話番号の記憶制御を行う通信装置、及び電話番号の記憶制御方法に関する。
【０００２】
【従来の技術】
従来の電話装置は、着信時に発信者の電話番号を記憶する機能を有する（例えば、特許文献１〜３参照）。この電話装置は着信時に発信者の電話番号を記憶するので、使用者は、着信に応答できなかった場合に、記憶された発信者の電話番号に掛けなおすことができる。一方、近年ではダイヤルＱ２等から故意に発信された電話により、ダイヤル発信Ｑ２の電話番号が、着信した電話装置に記憶されるという、いわゆる「ワン切りコール」が社会問題となっている。
【０００３】
【特許文献１】
特開２０００−２９５３２４号公報
【特許文献２】
特開２００１−０２４７７５号公報
【特許文献３】
特開２００１−２１７９１９号公報
【０００４】
【発明が解決しようとする課題】
このため、上記電話装置が、いわゆる「ワン切りコール」を着信し、ダイヤルＱ２の電話番号を記憶した場合において、使用者が、いわゆる「ワン切りコール」によって電話装置に記憶されたダイヤルＱ２の電話番号に意に反して折り返し電話をかけてしまう場合がある。
【０００５】
本発明の目的は、例えば、「ワン切りコール」などによって記憶された電話番号に対する意図しない折り返し発信を防止することができる通信装置、及び電話番号の記憶制御方法を提供することにある。
【０００６】
【課題を解決するための手段】
上述の目的を達成するために、請求項１記載の通信装置は、着信時に着信開始から着信停止までの着信時間又は呼出回数を計測する計測手段と、前記計測された着信時間又は呼出回数に応じて、該着信時に検出した発信者の電話番号を折り返し発信可能な番号としてメモリに記憶するよう制御する制御手段を有することを特徴とする。
【０００７】
請求項２記載の通信装置は、請求項１記載の通信装置において、前記制御手段は、前記計測された着信時間又は呼出回数が一定値に満たない場合は、前記発信者の電話番号をメモリに記憶しないように制御することを特徴とする。
【０００８】
請求項３記載の通信装置は、請求項１記載の通信装置において、前記制御手段は、前記計測された着信時間又は呼出回数が一定値に満たない場合は、前記発信者の電話番号を折り返し発信禁止の番号として前記メモリに記憶するように制御することを特徴とする。
【０００９】
請求項４記載の通信装置は、請求項１乃至３のいずれか１項に記載の通信装置において、前記制御手段は、オペレータ操作に基づいて着信に対して応答した場合は、前記計測された着信時間又は呼出回数に拘わらず、前記発信者の電話番号を折り返し発信可能な番号としてメモリに記憶するよう制御することを特徴とする。
【００１０】
請求項５記載の通信装置は、請求項１乃至４のいずれか１項に記載の通信装置において、前記制御手段は、前記発信者の電話番号が予め記憶している電話番号と一致するときは、前記計測された着信時間に拘わらず、前記発信者の電話番号を折り返し発信可能な番号としてメモリに記憶するよう制御することを特徴とする。
【００１１】
請求項６記載の着信の際に検出された発信者の電話番号の記憶制御方法は、着信時に着信開始から着信停止までの着信時間又は呼出回数を計測する計測工程と、前記計測された着信時間又は呼出回数に応じて、該着信時に検出した発信者の電話番号を折り返し発信可能な番号としてメモリに記憶するよう制御する制御工程を有することを特徴とする。
【００１２】
【発明の実施の形態】
以下、本発明の実施の形態を図面を参照しながら説明する。
【００１３】
図１は、本発明の実施の形態に係る通信装置の内部構成を示すブロック図である。
【００１４】
図１において、本発明の実施の形態に係る通信装置としての電話装置１０１は、電話装置１０１を制御する電話装置制御部１０２と、電話装置制御部１０２に接続され、電話回線を制御する回線制御部１０３と、電話装置制御部１０２と回線制御部１０３との間に接続され、着信開始から着信停止までの着信時間を計測する計測装置１０４と、電話装置制御部１０２に接続された記憶装置１０５とを備える。記憶装置１０５は、着信時に発信者の電話番号を記憶する後述する図２の着信履歴エリア１０６と、互いに対応する名前と電話番号の複数対を記憶する後述する図３の電話番号リスト１０７とを備える。
【００１５】
着信履歴エリア１０６は、図２に示すように、発信者の電話番号を、例えば０９０１２３１××××、０９０１２３２××××等の形態で記憶している。また、電話番号リスト１０７は、図３に示すように、互いに対応する名前と電話番号の複数対を、例えば青山−０９０１２３４××××、加藤−０９０１２３５××××等の形態で記憶している。
【００１６】
また、前記電話装置１０１は、発信の入力、及び着信に対する応答の入力を行う通話キー１０８と、通話の終了の入力を行う終話キー１０９と、ダイヤルの入力を行うダイヤルキー１１０と、電話番号等の情報を表示する表示器１１１と、着信履歴エリア１０６に記憶された電話番号の表示を入力する着信履歴キー１１２と、スクロールの方向を入力するカーソルキー１１３とを備え、これらは電話制御装置１０２に接続されている。前記電話装置１０１は、さらにマイク１１４とスピーカ１１５を備え、これらは回線制御部１０３に接続されている。
【００１７】
上記電話装置１０１は、着信履歴エリア１０６に記憶された電話番号の選択処理により、折り返し電話を掛けることができる。
【００１８】
図４は、図１の電話装置１０１によって実行される第１の着信動作処理のフローチャートである。
【００１９】
図４において、まず、回線制御部１０３が着信を検出したときは（ステップＳ３０２でＹＥＳ）、計測装置１０４は着信時間の計測を開始し（ステップＳ３０３）、次いで、回線制御部１０３が着信の停止を検出したときは（ステップＳ３０４でＹＥＳ）、計測装置１０４は着信時間の計測を終了する（ステップＳ３０５）（計測手段）。
【００２０】
次いで、計測装置１０４が計測した着信時間が一定値、例えば呼び出し音１回分以上であるか否か、又は３秒以上呼び出しが継続したか否か等を判別し（ステップＳ３０６）、着信時間が一定値以上であるときは、発信者の電話番号を着信履歴エリア１０６に記憶して（ステップＳ３０７）（制御手段）、本処理を終了し、一方、着信時間が一定値未満であるときは、発信者の電話番号を着信履歴エリア１０６に記憶することなく、本処理を終了する。
【００２１】
図４の処理によれば、着信時間が一定値未満であるときは（ステップＳ３０６でＮＯ）、発信者の電話番号が着信履歴エリア１０６に記憶されないので、例えば、「ワン切りコール」などによって記憶された電話番号に対する意図しない折り返し発信を防止することができる。
【００２２】
図５は、図４の第１の着信動作処理の変形例のフローチャートである。図５において、図４のステップと同一のステップには同一符号を付し、その説明を省略する。
【００２３】
図５において、まず、回線制御部１０３が着信を検出したときは（ステップＳ３０２でＹＥＳ）、計測装置１０４は着信時間の計測を開始し（ステップＳ３０３）、電話装置制御部１０２が通話キー１０８の入力を検出したか否かを判別する（ステップＳ４０１）。
【００２４】
ステップＳ４０１の判別の結果、電話装置制御部１０２が通話キー１０８の入力を検出したときは、計測装置１０４は着信時間の計測を終了し（ステップＳ４０２）、回線制御部１０３は通話処理を行い（ステップＳ４０３）、発信者の電話番号を着信履歴エリア１０６に記憶して（ステップＳ３０７）、本処理を終了する。
【００２５】
図５の処理によれば、電話装置制御部１０２が通話キー１０８の入力を検出したときは（ステップＳ４０１でＹＥＳ）、発信者の電話番号が着信履歴エリア１０６に記憶されるので（ステップＳ３０７）、着信に応答した場合は着信時間が一定値未満であっても、使用者は着信履歴エリア１０６に記憶された発信者の電話番号に折り返し電話を掛けることができる。
【００２６】
図６は、図４の第１の着信動作処理の他の変形例のフローチャートである。図６において、図４のステップと同一のステップには同一符号を付し、その説明を省略する。
【００２７】
図６において、まず、回線制御部１０３が着信を検出したときは（ステップＳ３０２でＹＥＳ）、計測装置１０４は着信時間の計測を開始し（ステップＳ３０３）、電話装置制御部１０２が通話キー１０８の入力を検出したか否かを判別する（ステップＳ４０１）。
【００２８】
ステップＳ４０１の判別の結果、電話装置制御部１０２が通話キー１０８の入力を検出したときは、計測装置１０４は着信時間の計測を終了し（ステップＳ４０２）、回線制御部１０３は通話処理を行い（ステップＳ４０３）、発信者の電話番号を着信履歴エリア１０６に記憶して（ステップＳ３０７）、本処理を終了する。
【００２９】
一方、ステップＳ４０１の判別の結果、電話装置制御部１０２が通話キー１０８の入力を検出しない場合において、回線制御部１０３が着信の停止を検出すると（ステップＳ３０４でＹＥＳ）、計測装置１０４は着信時間の計測を終了し（ステップＳ３０５）、次いで、発信者の電話番号が電話番号リスト１０７に記憶されている電話番号と一致する否かを判別し（ステップＳ６０１）、発信者の電話番号が電話番号リスト１０７に記憶されている電話番号と一致するときは（ステップＳ６０１でＹＥＳ）、発信者の電話番号を着信履歴エリア１０６に記憶して（ステップＳ３０７）、本処理を終了する。
【００３０】
図６の処理によれば、発信者の電話番号が電話番号リスト１０７に記憶されている電話番号と一致するときは（ステップＳ６０１でＹＥＳ）、発信者の電話番号が着信履歴エリア１０６に記憶されるので（ステップＳ３０７）、予め記憶している電話番号であれば、着信時間が一定値未満であっても、使用者は着信履歴エリア１０６に記憶された発信者の電話番号に折り返し電話を掛けることができる。
【００３１】
図７は、図１の電話装置１０１によって実行される第２の着信動作処理のフローチャートである。図７において、図４のステップと同一のステップには同一符号を付し、その説明を省略する。
【００３２】
図７において、まず、回線制御部１０３が着信を検出したときは（ステップＳ３０２でＹＥＳ）、計測装置１０４は着信時間の計測を開始し（ステップＳ３０３）、次いで、回線制御部１０３が着信の停止を検出したときは（ステップＳ３０４でＹＥＳ）、計測装置１０４は着信時間の計測を終了する（ステップＳ３０５）。
【００３３】
次いで、計測装置１０４が計測した着信時間が一定値、例えば呼び出し音１回分以上であるか否か、又は３秒以上呼び出しが継続したか否か等を判別し（ステップＳ３０６）、着信時間が一定値以上であるときは、発信者の電話番号の発信禁止フラグをＯＦＦにし（ステップＳ８０１）、一方、着信時間が一定値未満であるときは、発信者の電話番号の発信禁止フラグをＯＮにし（ステップＳ８０２）、次いで、発信者の電話番号を着信履歴エリア１０６に記憶して（ステップＳ３０７）、本処理を終了する。
【００３４】
ステップＳ３０７において、着信履歴エリア１０６は、発信者の電話番号と発信禁止フラグを、図８に示すように、例えば０９０１２３１××××−ＯＦＦ、０３１２３４××××−ＯＮ等の形態で記憶している。
【００３５】
図７の処理によれば、着信時間が一定値未満であるときは（ステップＳ３０６でＮＯ）、発信者の電話番号を発信禁止とした上で着信履歴エリア１０６に記憶されるので（ステップＳ８０２、ステップＳ３０７）、例えば、「ワン切りコール」などによって記憶された電話番号に対する意図しない折り返し発信を防止することができる。
【００３６】
図９は、図１の電話装置１０１によって実行される発信動作処理のフローチャートである。
【００３７】
図９において、電話装置制御部１０２が着信履歴キー１１２の入力を検出したときは（ステップＳ９０２でＹＥＳ）、着信履歴エリア１０６に記憶された電話番号の選択処理を行い（ステップＳ９０３）、次いで、電話装置制御部１０２が通話キー１０８の入力を検出したときは（ステップＳ９０４でＹＥＳ）、選択された電話番号の発信禁止フラグがＯＮであるか否かを判別する（ステップＳ９０５）。ステップＳ９０３の電話番号選択処理は、カーソルキー１１３の入力に応じて着信履歴エリア１０６に記憶されている発信者の電話番号を表示器１１１上でスクロールし、スクロールした電話番号の中から目的の電話番号を選択することにより行われる。
【００３８】
ステップＳ９０５の判別の結果、選択された電話番号の発信禁止フラグがＯＦＦであるときは、回線制御部１０３は発信処理を行って（ステップＳ９０６）、一方、選択された電話番号の発信禁止フラグがＯＮであるときは、回線制御部１０３は発信処理を行うことなく、本処理を終了する。ステップＳ９０６の発信処理は、電話回線を介して選択された電話番号を交換機に発信することにより行われる。
【００３９】
図９の処理によれば、着信履歴エリア１０６に記憶された電話番号の発信禁止フラグがＯＮであるときは、回線制御部１０３は発信処理を行わないので、例えば、「ワン切りコール」などによって記憶された電話番号に対する意図しない折り返し発信を防止することができる。
【００４０】
図１０は、図７の第２の着信動作処理の変形例のフローチャートである。図１０において、図７のステップと同一のステップには同一符号を付し、その説明を省略する。
【００４１】
図１０において、まず、回線制御部１０３が着信を検出したときは（ステップＳ３０２でＹＥＳ）、計測装置１０４は着信時間の計測を開始し（ステップＳ３０３）、電話装置制御部１０２が通話キー１０８の入力を検出したか否かを判別する（ステップＳ４０１）。
【００４２】
ステップＳ４０１の判別の結果、電話装置制御部１０２が通話キー１０８の入力を検出したときは、計測装置１０４は着信時間の計測を終了し（ステップＳ４０２）、回線制御部１０３は通話処理を行い（ステップＳ４０３）、発信者の電話番号の発信禁止フラグをＯＦＦにし（ステップＳ８０１）、次いで、発信者の電話番号を着信履歴エリア１０６に記憶して（ステップＳ３０７）、本処理を終了する。
【００４３】
図１０の処理によれば、電話装置制御部１０２が通話キー１０８の入力を検出したときは（ステップＳ４０１でＹＥＳ）、発信者の電話番号が発信禁止フラグをＯＦＦにして着信履歴エリア１０６に記憶されるので（ステップＳ８０１）、着信に応答した場合は着信時間が一定値未満であっても、使用者は着信履歴エリア１０６に記憶された発信者の電話番号に折り返し電話を掛けることができる。
【００４４】
図１１は、図７の第２の着信動作処理の他の変形例のフローチャートである。図１１において、図７のステップと同一のステップには同一符号を付し、その説明を省略する。
【００４５】
図１１において、まず、回線制御部１０３が着信を検出したときは（ステップＳ３０２でＹＥＳ）、計測装置１０４は着信時間の計測を開始し（ステップＳ３０３）、電話装置制御部１０２が通話キー１０８の入力を検出したか否かを判別する（ステップＳ４０１）。
【００４６】
ステップＳ４０１の判別の結果、電話装置制御部１０２が通話キー１０８の入力を検出したときは、計測装置１０４は着信時間の計測を終了し（ステップＳ４０２）、回線制御部１０３は通話処理を行い（ステップＳ４０３）、発信者の電話番号の発信禁止フラグをＯＦＦにし（ステップＳ８０１）、次いで、発信者の電話番号を着信履歴エリア１０６に記憶して（ステップＳ３０７）、本処理を終了する。
【００４７】
一方、ステップＳ４０１の判別の結果、電話装置制御部１０２が通話キー１０８の入力を検出しない場合において、回線制御部１０３が着信の停止を検出すると（ステップＳ３０４でＹＥＳ）、計測装置１０４は着信時間の計測を終了し（ステップＳ３０５）、次いで、発信者の電話番号が電話番号リスト１０７に記憶されている電話番号と一致する否かを判別し（ステップＳ６０１）、発信者の電話番号が電話番号リスト１０７に記憶されている電話番号と一致するときは（ステップＳ６０１でＹＥＳ）、発信者の電話番号の発信禁止フラグをＯＦＦにし（ステップＳ８０１）、次いで、発信者の電話番号を着信履歴エリア１０６に記憶して（ステップＳ３０７）、本処理を終了する。
【００４８】
図１１の処理によれば、発信者の電話番号が電話番号リスト１０７に記憶されている電話番号と一致するときは（ステップＳ６０１でＹＥＳ）発信者の電話番号が、発信禁止フラグをＯＦＦにして着信履歴エリア１０６に記憶されるので（ステップＳ３０７）、予め記憶している電話番号であれば、着信時間が一定値未満であっても、使用者は着信履歴エリア１０６に記憶された発信者の電話番号に折り返し電話を掛けることができる。
【００４９】
【発明の効果】
以上詳細に説明したように、請求項１記載の通信装置、請求項６記載の電話番号の記憶制御方法によれば、着信時に計測された着信時間又は呼出回数に応じて、該着信時に検出した発信者の電話番号を折り返し発信可能な番号としてメモリに記憶するよう制御するので、例えば、「ワン切りコール」などによって記憶された電話番号に対する意図しない折り返し発信を防止することができる。
【００５０】
請求項２記載の通信装置によれば、計測された着信時間又は呼出回数が一定値に満たない場合は、発信者の電話番号をメモリに記憶しないように制御するので、例えば、「ワン切りコール」などによって記憶された電話番号に対する意図しない折り返し発信を防止することができる。
【００５１】
請求項３記載の通信装置によれば、計測された着信時間又は呼出回数が一定値に満たない場合は、発信者の電話番号を折り返し発信禁止の番号としてメモリに記憶するように制御するので、例えば、「ワン切りコール」などによって記憶された電話番号に対する意図しない折り返し発信を防止することができる。
【００５２】
請求項４記載の通信装置によれば、オペレータ操作に基づいて着信に対して応答した場合は、計測された着信時間又は呼出回数に拘わらず、発信者の電話番号を折り返し発信可能な番号としてメモリに記憶するよう制御するので、着信に対して応答した場合は着信時間又は呼出回数が一定値未満であっても、記憶された発信者の電話番号に折り返し電話を掛けることができる。
【００５３】
請求項５記載の通信装置によれば、発信者の電話番号が予め記憶している電話番号と一致するときは、計測された着信時間に拘わらず、発信者の電話番号を折り返し発信可能な番号としてメモリに記憶するよう制御するので、予め記憶している電話番号であれば、着信時間又は呼出回数が一定値未満であっても、記憶された発信者の電話番号に折り返し電話を掛けることができる。
【図面の簡単な説明】
【図１】本発明の実施の形態に係る通信装置の内部構成を示すブロック図である。
【図２】図１における着信履歴エリア１０６の一例を示す図である。
【図３】図１における電話番号リスト１０７の一例を示す図である。
【図４】図１の電話装置１０１によって実行される第１の着信動作処理のフローチャートである。
【図５】図４の第１の着信動作処理の変形例のフローチャートである。
【図６】図４の第１の着信動作処理の他の変形例のフローチャートである。
【図７】図１の電話装置１０１によって実行される第２の着信動作処理のフローチャートである。
【図８】図１における着信履歴エリア１０６の一例を示す図である。
【図９】図１の電話装置１０１によって実行される発信動作処理のフローチャートである。
【図１０】図７の第２の着信動作処理の変形例のフローチャートである。
【図１１】図７の第２の着信動作処理の他の変形例のフローチャートである。
【符号の説明】
１０１  電話装置
１０２  電話装置制御部
１０４  計測手段
１０５  記憶装置
１０６  着信履歴エリア
１０７  電話番号リスト
１０８  通話キー
１１４  マイク
【図１】
2005045387.tif 000003
【図２】
2005045387.tif 000004
【図３】
2005045387.tif 000005
【図４】
2005045387.tif 000006
【図５】
2005045387.tif 000007
【図６】
2005045387.tif 000008
【図７】
2005045387.tif 000009
【図８】
2005045387.tif 000010
【図９】
2005045387.tif 000011
【図１０】
2005045387.tif 000012
【図１１】
2005045387.tif 000013